(57)【要約】【課題】放射線撮影装置と撮影制御装置とを含む放射線撮影システムにおいて、識別標識の入力や撮影を連続して行い、かつ、放射線撮影装置における患者や撮影メニューの確認を容易にする。【解決手段】この放射線撮影システム１０は、記録媒体に付された識別標識を読み取る第１の読取手段と、該識別情報を撮影情報に対応付けて記憶する記憶手段と、第１の信号に応答して該記録媒体に対応する撮影情報を含む第２の信号を出力する第１の制御手段とを有する撮影制御装置３０と、今回撮影に用いられる記録媒体に付された識別標識を読み取る第２の読取手段と、該記録媒体の識別情報を含む第１の信号を出力すると共に、第２の信号に応答して該記録媒体に対応する撮影情報を表示部に表示させる第２の制御手段と、第２の制御手段の制御の下で放射線を発生する放射線発生手段とを有する放射線撮影装置２０とを具備する。【選択図】  図１
2004283309.tif 000002
【特許請求の範囲】
【請求項１】
被検者に放射線を照射して撮影を行うことにより記録媒体に放射線画像を記録する放射線撮影システムであって、
複数回の撮影にそれぞれ用いる複数の記録媒体に付された識別標識を読み取ることにより該複数の記録媒体の識別情報を得る第１の読取手段と、前記複数の記録媒体の識別情報を複数回の撮影に関する撮影情報にそれぞれ対応付けて記憶する記憶手段と、今回撮影に用いられる記録媒体の識別情報を含む第１の信号に応答して、該記録媒体に対応する撮影情報を含む第２の信号を出力する第１の制御手段とを有する撮影制御装置と、
今回撮影に用いられる記録媒体に付された識別標識を読み取る第２の読取手段と、前記第２の読取手段によって得られた該記録媒体の識別情報を含む第１の信号を前記撮影制御装置に出力すると共に、前記撮影制御装置から入力した第２の信号に応答して、今回撮影に用いられる記録媒体に対応する撮影情報を表示部に表示させる第２の制御手段と、前記第２の制御手段の制御の下で放射線を発生する放射線発生手段とを有する放射線撮影装置と、
を具備する放射線撮影システム。
【請求項２】
被検者に放射線を照射して撮影を行うことにより記録媒体に放射線画像を記録する放射線撮影システムであって、
複数回の撮影に関する撮影情報を記憶する記憶手段と、複数回の撮影に関する撮影情報の内から所望の撮影情報を選択するために用いられる選択手段と、今回撮影に用いられる記録媒体の識別情報を含む第１の信号に応答して、該記録媒体の識別情報を選択された撮影情報に対応付けると共に、選択された撮影情報を含む第２の信号を出力する第１の制御手段とを有する撮影制御装置と、
今回撮影に用いられる記録媒体に付された識別標識を読み取る読取手段と、前記読取手段によって得られた該記録媒体の識別情報を含む第１の信号を前記撮影制御装置に出力すると共に、前記撮影制御装置から入力した第２の信号に応答して、今回撮影に用いられる記録媒体に対応する撮影情報を表示部に表示させる第２の制御手段と、前記第２の制御手段の制御の下で放射線を発生する放射線発生手段とを有する放射線撮影装置と、
を具備する放射線撮影システム。
【請求項３】
前記記録媒体に付された識別標識が、記録シート又はそのケースに表示されたバーコードであり、前記読取手段が、バーコードを読み取るバーコードリーダである、請求項１又は２記載の放射線撮影システム。
【請求項４】
前記記録媒体に付された識別標識が、記録シート又はそのケースに表示された文字であり、前記読取手段が、文字を読み取る光学式文字読み取り装置である、請求項１又は２記載の放射線撮影システム。
【請求項５】
前記記録媒体に付された識別標識が、記録シート又はそのケースに設けられたトランスポンダによって発生される磁界の変化又は電磁波であり、前記読取手段が、前記トランスポンダに非接触で電力を供給し、トランスポンダによって発生される磁界の変化又は電磁波を読み取るリーダである、請求項１又は２記載の放射線撮影システム。
【請求項６】
前記トランスポンダが、前記撮影制御装置と前記放射線撮影装置との間のデータの伝送に用いられる、請求項５記載の放射線撮影システム。
【発明の詳細な説明】
【０００１】
【発明の属する技術分野】
本発明は、被検者にＸ線等の放射線を照射して撮影を行うことにより、記録シート等の記録媒体に放射線画像を記録する放射線撮影システムに関する。
【０００２】
【従来の技術】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、医療用画像診断に用いられる装置として、Ｘ線ＣＴや超音波、ＭＲＩ等の様々なディジタル化された装置が実用化されており、病院内での診断情報処理システム等の構築が進められようとしている。Ｘ線画像についても、ディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法は、輝尽性蛍光体を塗布した記録シートに人体等の被写体の放射線画像を撮影記録し、この記録シートをレーザ光等の励起光で走査すると輝尽発光光が生じるので、この光を光電的に読み取ることにより画像データを得るものである。この画像データを適切に処理した後、ＣＲＴ等のディスプレイに出力したり、レーザプリンタ等によりフィルムに印刷して、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。また、このようにして得た信号を適切な画像処理方法と組み合わせることにより、様々な撮影条件の下でも定常的に良質な画像を提供することが可能である。さらに、直接、ディジタル化された画像情報を得ているので、画像の劣化を招くことなく、大量のデータを長期保存することが可能になるばかりか、医療診断情報システムへの発展等も可能になる。
【０００５】
ところで、カセッテと呼ばれるケースに記録シートが収納されて用いられる放射線撮影システムにおいては、ある患者の撮影に用いられる記録シートを他の患者の撮影に用いられる記録シートと区別するための識別標識として、従来から、バーコードが用いられていた。放射線撮影の際には、そのバーコードを読み取って得られたバーコード情報が、被検者である患者の性別や氏名等の患者情報や、撮影部位等を含む撮影メニュー等に対応付けて登録される。
【０００６】
しかしながら、放射線撮影装置と、これとは独立した装置である撮影制御装置（コンソール）とを接続して用いる放射線撮影システムにおいては、撮影制御装置と放射線撮影装置との間で撮影条件が送受信されるが、撮影条件と記録シートのバーコード情報とは対応付けられていないので、バーコードの登録と撮影とを必ず１：１で実施する必要があり、運用上不便であった。
【０００７】
関連する技術として、下記の特許文献１には、Ｘ線発生装置に外部制御ポートが１つしかなくても、複数のＸ線撮影制御装置がＸ線発生装置と通信することを可能とするＸ線撮影制御装置が述べられている。このＸ線撮影制御装置においては、操作者がユーザインターフェースを用いて指定したＸ線撮影条件を、ＧＥＮ／ＩＦ（ｇｅｎｅｒａｔｉｏｎ  ｉｎｔｅｒｆａｃｅ）を介して、Ｘ線発生装置制御部に送信することができる。
【０００８】
しかしながら、このＸ線撮影制御装置によれば、１つのＸ線発生装置に複数のＸ線撮影制御装置を接続して撮影条件を設定することは可能であるが、撮影条件と記録シートのバーコード情報との対応付けについては述べられていない。
【０００９】
【特許文献１】
特開２００１−２７６０３１号公報（第６，７頁、図１）
【００１０】
【発明が解決しようとする課題】
そこで、上記の点に鑑み、本発明は、放射線撮影装置と撮影制御装置とを含む放射線撮影システムにおいて、複数回の撮影を行う場合に、バーコード等の識別情報の登録や撮影を連続して行うことを可能とし、かつ、放射線撮影装置における患者や撮影メニューの確認を容易にすることを目的とする。
【００１１】
【課題を解決するための手段】
上記課題を解決するため、本発明の第１の観点に係る放射線撮影システムは、被検者に放射線を照射して撮影を行うことにより記録媒体に放射線画像を記録する放射線撮影システムであって、複数回の撮影にそれぞれ用いる複数の記録媒体に付された識別標識を読み取ることにより該複数の記録媒体の識別情報を得る第１の読取手段と、複数の記録媒体の識別情報を複数回の撮影に関する撮影情報にそれぞれ対応付けて記憶する記憶手段と、今回撮影に用いられる記録媒体の識別情報を含む第１の信号に応答して、該記録媒体に対応する撮影情報を含む第２の信号を出力する第１の制御手段とを有する撮影制御装置と、今回撮影に用いられる記録媒体に付された識別標識を読み取る第２の読取手段と、第２の読取手段によって得られた該記録媒体の識別情報を含む第１の信号を撮影制御装置に出力すると共に、撮影制御装置から入力した第２の信号に応答して、今回撮影に用いられる記録媒体に対応する撮影情報を表示部に表示させる第２の制御手段と、第２の制御手段の制御の下で放射線を発生する放射線発生手段とを有する放射線撮影装置とを具備する。
【００１２】
また、本発明の第２の観点に係る放射線撮影システムは、被検者に放射線を照射して撮影を行うことにより記録媒体に放射線画像を記録する放射線撮影システムであって、複数回の撮影に関する撮影情報を記憶する記憶手段と、複数回の撮影に関する撮影情報の内から所望の撮影情報を選択するために用いられる選択手段と、今回撮影に用いられる記録媒体の識別情報を含む第１の信号に応答して、該記録媒体の識別情報を選択された撮影情報に対応付けると共に、選択された撮影情報を含む第２の信号を出力する第１の制御手段とを有する撮影制御装置と、今回撮影に用いられる記録媒体に付された識別標識を読み取る読取手段と、読取手段によって得られた該記録媒体の識別情報を含む第１の信号を撮影制御装置に出力すると共に、撮影制御装置から入力した第２の信号に応答して、今回撮影に用いられる記録媒体に対応する撮影情報を表示部に表示させる第２の制御手段と、第２の制御手段の制御の下で放射線を発生する放射線発生手段とを有する放射線撮影装置とを具備する。
【００１３】
本発明によれば、記録媒体に付された識別標識を読み取る読取手段を放射線撮影装置に設け、今回撮影に用いられる記録媒体に対応する撮影情報を放射線撮影装置の表示部に表示させるようにしたので、複数回の撮影を行う場合に、バーコード等の識別情報の登録や撮影を連続して行うことを可能とし、かつ、放射線撮影装置における患者や撮影メニューの確認を容易にすることができる。
【００１４】
【発明の実施の形態】
以下、図面を参照しながら本発明の実施の形態について説明する。なお、同一の構成要素には同一の参照番号を付して、説明を省略する。
図１は、本発明の第１の実施形態に係る放射線撮影システムを含む医用画像撮影システムの構成を示すブロック図である。
【００１５】
放射線撮影の記録媒体として用いられる記録シート（輝尽性蛍光体シート）１は、輝尽性蛍光体物質を塗布したものであり、放射線が照射されることにより被写体の情報が記録される。記録シート１には、識別標識としてバーコードが表示されている。本実施形態においては、記録シート１が、カセッテと呼ばれるケースに収納されており、カセッテに設けられている窓から記録シート１のバーコードが読み取れるようになっている。
【００１６】
図１に示すように、この医用画像撮影システムは、被検者に放射線を照射して撮影を行うことにより記録シート１に放射線画像を記録する放射線撮影システム１０と、記録シート１に記録されている放射線画像等の情報を光電的に読み取って画像データを生成する医用画像読取装置４０と、医用画像読取装置４０から画像データを入力して各種の処理を行い、医療用診断画像を表示又は出力する医用画像処理装置５０とによって構成される。これらは、ネットワークＮ１を介して接続されている。さらに、必要に応じて、病院のデータベースサーバ、ＩＤカードリーダ、又は、端末装置等の外部装置６０が、ネットワークＮ１に接続される。
【００１７】
放射線撮影システム１０は、被検者にＸ線等の放射線を照射して撮影を行うことにより記録シート１に放射線画像を記録する放射線撮影装置２０と、放射線撮影装置２０における管電圧、管電流、又は照射時間等の撮影条件を制御する撮影制御装置（コンソール）３０とを有している。
【００１８】
放射線撮影装置２０は、記録シート１の位置を上下に移動させることにより被検者における撮影位置を昇降させる撮影位置昇降機構２１と、被検者の足の位置を決める撮影台２２と、被検者に放射線を照射する放射線発生部２３と、記録シートに識別標識として表示されているバーコードを読み取るバーコードリーダ２４と、撮影情報を表示する表示部２５と、放射線撮影装置２０の各部を制御する制御部２６とを有している。
【００１９】
放射線撮影装置２０のバーコードリーダ２４は、カセッテが撮影台２２にセットされたときに記録シート１のバーコードを自動的に読み取れるように、撮影台２２の所定の位置に設置されるのが望ましいが、特に固定せず、手動でバーコードを読み取るようにしても良い。
【００２０】
撮影制御装置３０には、被検者である患者の性別や氏名等の患者情報、及び、撮影部位等を含む撮影メニュー等が、複数登録される。これらの患者情報及び撮影メニュー等は、撮影制御装置３０の入力部３１において入力されても良いし、ネットワークＮ１を介して外部から供給されるようにしても良い。
【００２１】
撮影制御装置３０は、放射線撮影装置２０の各部を制御する制御部３１と、撮影メニューの一覧から患者に対応して撮影メニューを選択したり各種の命令等を入力するために用いられる入力部３２と、記録シート１のバーコードを読み取るバーコードリーダ３３とを有している。ここで、バーコードリーダ３３を用いることにより、制御部３１は、登録されている複数の患者情報及び撮影メニューに対して、それぞれの記録シートのバーコードを関連付け、バーコード情報を登録することができる。
【００２２】
さらに、撮影制御装置３０は、登録された複数の患者情報や撮影メニュー等を表示する表示部３４と、選択された撮影メニューや入力された各種の命令等を一旦記憶するメモリ３５と、複数の撮影メニューに対応する撮影条件等を記録しているハードディスク３６ａと、ハードディスク３６ａを制御するハードディスク制御部３６ｂとを有している。
【００２３】
なお、患者情報、撮影メニュー、及び、バーコード情報は、メモリ３５に一旦記憶された後、ハードディスク３６ａ、外付けハードディスク、フレキシブルディスク、ＭＯ、ＭＴ、ＲＡＭ、ＣＤ−ＲＯＭ、又は、ＤＶＤ−ＲＯＭ等に記録するようにしても良い。
【００２４】
本実施形態においては、放射線撮影装置２０がバーコードリーダ２４を含む構成としたことにより、バーコードリーダ２４を用いて記録シートのバーコードを読み取って得られたバーコード情報を含む撮影情報要求信号を放射線撮影装置２０から撮影制御装置３０に送信して、その記録シートを用いる撮影に関する患者情報、撮影メニュー、又は撮影条件等の撮影情報を要求することができる。
【００２５】
この要求に対し、撮影制御装置３０は、撮影情報を含む撮影情報応答信号を放射線撮影装置２０に送信し、放射線撮影装置２０において、受信した撮影情報に基づく撮影条件が放射線発生部２３に設定され、撮影情報が表示部２５に表示される。
【００２６】
このようにして設定された撮影条件の下で被検者の放射線撮影が行われ、その放射線画像が記録シートに記録される。撮影後、記録シートは、医用画像読取装置４０の所定の位置にセットされる。
【００２７】
医用画像読取装置４０において、レーザ光源４１から出射した光ビームは、光走査部４２を通って記録シート１の表面を走査する。この走査により光ビームが記録シート１に照射され、光ビームが照射された箇所から蓄積記録された放射線画像情報に応じた光量の輝尽発光光が生じる。輝尽発光光は、フォトマルチプライヤ（光電子増倍管）４３により光電的に検出され、アナログ信号として出力されて増幅器４４により増幅され、Ａ／Ｄ変換器４５によりディジタル化される。Ａ／Ｄ変換器４５から出力される画像データは、画像付帯情報と共に、ネットワークＮ１を介して医用画像処理装置５０に入力される。
【００２８】
医用画像処理装置５０は、各種の命令や画像形式についての設定等を入力するために用いられる入力部５１と、医用画像読取装置４０から入力された画像データに対して規格化、階調処理、論理読み処理等の画像処理を施すと共に、表示される画像形式を制御する処理部５２と、処理部５２から出力される画像データに基づいて医療用診断画像を表示する表示部５３と、医療用診断画像をフィルム等に印刷するプリンタ５４とを含んでいる。
【００２９】
次に、本実施形態に係る放射線撮影システムの動作について、図１及び図２を参照しながら説明する。図２は、本実施形態に係る放射線撮影システムの動作を示すフローチャートである。
【００３０】
図２に示すように、まず、ステップＳ３１において、撮影内容の登録が行われる。即ち、撮影制御装置３０において、患者情報及び撮影メニューが登録される。通常の撮影においては、一度に複数回の撮影が行われるので、複数の患者情報及び撮影メニューがまとめて登録されることになる。
【００３１】
次に、ステップＳ３２において、撮影制御装置３０のバーコードリーダ３３を用いて複数の記録シートのバーコードを読み込むことにより、制御部３１が、複数の患者情報及び撮影メニューに対して、それぞれの記録シートのバーコードを関連付け、バーコード情報を登録する。
【００３２】
放射線撮影を行う際には、ステップＳ２１において、放射線撮影装置２０の撮影台２２に記録シートを収納したカセッテをセットすると、バーコードリーダ２４は、記録シートのバーコードを読み取る。ステップＳ２２において、放射線撮影装置２０は、記録シートのバーコードを読み取って得られたバーコード情報を含む撮影情報要求信号を撮影制御装置３０に送信して、その記録シートを用いる撮影に関する患者情報、撮影メニュー、又は撮影条件等の撮影情報を要求する。
【００３３】
撮影制御装置３０は、ステップＳ３３において、受信した撮影情報要求信号に含まれているバーコード情報に基づいて、そのバーコード情報によって表される記録シートのバーコードに関連付けられた患者情報、撮影メニュー、又は撮影条件等を検索し、検索された患者情報、撮影メニュー、又は撮影条件等の撮影情報を含む撮影情報応答信号を放射線撮影装置２０に送信する。
【００３４】
放射線撮影装置２０は、ステップＳ２３において、受信した撮影情報応答信号に含まれている撮影情報に基づいて撮影条件を設定し、撮影情報を表示部２５に表示する。表示された撮影情報を見ることにより、オペレータは、放射線撮影装置２０にセットされている記録シートに関連付けられた患者、撮影メニュー、又は撮影条件が、これから実際に撮影しようとしている患者、撮影メニュー、又は撮影条件と一致していることを確認できる。その後、ステップＳ２４において、設定された撮影条件の下で、放射線撮影が行われる。
【００３５】
次の放射線撮影を行う際には、ステップＳ２５において、放射線撮影装置２０の撮影台２２に次の記録シートを収納したカセッテをセットすると、バーコードリーダ２４が記録シートのバーコードを読み取り、ステップＳ２６において、撮影情報要求信号が撮影制御装置３０に送信される。撮影制御装置３０は、ステップＳ３４において撮影情報応答信号を放射線撮影装置２０に送信し、放射線撮影装置２０は、ステップＳ２７において撮影条件の設定と撮影情報の表示を行い、ステップＳ２８において放射線撮影が行われる。以下、同様のことが繰り返されて、ステップＳ３１において登録された複数の撮影メニューに対応する撮影が終了する。
【００３６】
次に、本発明の第２の実施形態に係る放射線撮影システムについて説明する。図３は、本発明の第２の実施形態に係る放射線撮影システムの構成を示すブロック図である。
【００３７】
図３に示すように、本実施形態においては、撮影制御装置８０がバーコードリーダを含まない構成となっており、バーコードの読出しには、放射線撮影装置２０のバーコードリーダ２４のみが用いられる。その他の構成については、図１に示す第１の実施形態と同様である。
【００３８】
次に、本実施形態に係る放射線撮影システムの動作について、図３及び図４を参照しながら説明する。図４は、本実施形態に係る放射線撮影システムの動作を示すフローチャートである。
【００３９】
図４に示すように、まず、ステップＳ８１において、撮影内容の登録が行われる。即ち、撮影制御装置８０において、患者情報及び撮影メニューが登録される。通常の撮影においては、一度に複数回の撮影が行われるので、複数の患者情報及び撮影メニューがまとめて登録されることになる。
【００４０】
放射線撮影を行う際には、ステップＳ８２において、複数の患者情報及び撮影メニューの内から、所望の患者情報及び撮影メニューを選択することにより、その患者情報及び撮影メニューを選択状態としておく。
【００４１】
ステップＳ２１において、放射線撮影装置２０の撮影台２２に記録シートを収納したカセッテをセットすると、バーコードリーダ２４は、記録シートのバーコードを読み取る。ステップＳ２２において、放射線撮影装置２０は、記録シートのバーコードを読み取って得られたバーコード情報を含む撮影情報要求信号を撮影制御装置８０に送信して、その記録シートを用いる撮影に関する患者情報、撮影メニュー、又は撮影条件等の撮影情報を要求する。
【００４２】
撮影制御装置８０は、ステップＳ８３において、受信した撮影情報要求信号に含まれているバーコード情報によって表される記録シートのバーコードを、選択されている患者情報及び撮影メニューに対応付けて、そのバーコード情報を登録する。
【００４３】
また、撮影制御装置８０は、ステップＳ８４において、受信した撮影情報要求信号に含まれているバーコード情報に基づいて、そのバーコード情報によって表される記録シートのバーコードに関連付けられた患者情報、撮影メニュー、又は撮影条件等を検索し、検索された患者情報、撮影メニュー、又は撮影条件等の撮影情報を含む撮影情報応答信号を放射線撮影装置２０に送信する。
【００４４】
放射線撮影装置２０は、ステップＳ２３において、受信した撮影情報応答信号に含まれている撮影情報に基づいて撮影条件を設定し、撮影情報を表示部２５に表示する。表示された撮影情報を見ることにより、オペレータは、放射線撮影装置２０にセットされている記録シートに関連付けられた患者、撮影メニュー、又は撮影条件が、これから実際に撮影しようとしている患者、撮影メニュー、又は撮影条件と一致していることを確認できる。その後、ステップＳ２４において、設定された撮影条件の下で、放射線撮影が行われる。
【００４５】
次の放射線撮影を行う際には、ステップＳ８５において、複数の患者情報及び撮影メニューの中から、次の患者情報及び撮影メニューを選択することにより、その患者情報及び撮影メニューを選択状態としておく。
【００４６】
ステップＳ２５において、放射線撮影装置２０の撮影台２２に次の記録シートを収納したカセッテをセットすると、バーコードリーダ２４が記録シートのバーコードを読み取り、ステップＳ２６において、放射線撮影装置２０が撮影情報要求信号を撮影制御装置８０に送信する。
【００４７】
撮影制御装置８０は、ステップＳ８６において、バーコード情報によって表される記録シートのバーコードを選択されている患者情報及び撮影メニューに対応付けて、そのバーコード情報を登録する。撮影制御装置８０は、ステップＳ８７において撮影情報応答信号を放射線撮影装置２０に送信し、放射線撮影装置２０は、ステップＳ２７において撮影条件の設定と撮影情報の表示を行い、ステップＳ２８において放射線撮影が行われる。以下、同様のことが繰り返されて、ステップＳ８１において登録された複数の撮影メニューに対応する撮影が終了する。
【００４８】
以上の実施形態においては、記録媒体に付された識別標識として、記録シートに表示されたバーコードを用いたが、記録シートのケースであるカセッテに表示されたバーコードを用いたり、バーコードの替りに文字を用いたり、非接触型識別システム（ＲＦ−ＩＤ）によって発生される磁界の変化又は電磁波を用いても良い。
【００４９】
例えば、カセッテに書き替え可能なリライトカードを取り付けて、リライトカード等に描かれた文字を、ＯＣＲ（ｏｐｔｉｃａｌ  ｃｈａｒａｃｔｅｒ  ｒｅａｄｅｒ：光学式文字読み取り装置）で認識するようにしても良い。あるいは、カセッテに非接触型識別システムのトランスポンダを取り付けて、放射線撮影装置に設置されたリーダが、トランスポンダに非接触で電力を供給し、トランスポンダによって発生される磁界の変化又は電磁波を読み取るようにしても良い。
【００５０】
また、放射線撮影装置と撮影制御装置との間のデータの伝送は、ネットワークを介したシリアル伝送により行っても良いし、非接触型識別システムのトランスポンダをカセッテに取り付けて行っても良い。データの伝送に非接触型識別システムを用いる場合には、カセッテの運搬に伴って撮影情報も移動させることができるので、放射線撮影装置から撮影制御装置に撮影情報要求信号を送信する必要はなくなる。
【００５１】
【発明の効果】
以上説明したように、本発明によれば、放射線撮影装置と撮影制御装置とを含む放射線撮影システムにおいて、複数回の撮影を行う場合に、バーコード等の識別情報の登録や撮影を連続して行うことを可能とし、かつ、放射線撮影装置における患者や撮影メニューの確認を容易にすることができる。
【図面の簡単な説明】
【図１】本発明の第１の実施形態に係る放射線撮影システムを含む医用画像撮影システムの構成を示すブロック図である。
【図２】本発明の第１の実施形態に係る放射線撮影システムの動作を示すフローチャートである。
【図３】本発明の第２の実施形態に係る放射線撮影システムの構成を示すブロック図である。
【図４】本発明の第２の実施形態に係る放射線撮影システムの動作を示すフローチャートである。
【符号の説明】
１  記録シート（輝尽性蛍光体シート）
１０  放射線撮影システム
２０  放射線撮影装置
２１  撮影位置昇降機構
２２  撮影台
２３  放射線発生部
２４  バーコードリーダ
２５  表示部
２６  制御部
３０  撮影制御装置
３１  制御部
３２  入力部
３３  バーコードリーダ
３４  表示部
３５  メモリ
３６ａ  ハードディスク
３６ｂ  ハードディスク制御部
４０  医用画像読取装置
４１  レーザ光源
４２  光走査部
４３  フォトマルチプライヤ（光電子増倍管）
４４  増幅器
４５  Ａ／Ｄ変換器
５０  医用画像処理装置
５１  入力部
５２  処理部
５３  表示部
５４  プリンタ
６０  外部装置
Ｎ１  ネットワーク
【図１】
2004283309.tif 000003
【図２】
2004283309.tif 000004
【図３】
2004283309.tif 000005
【図４】
2004283309.tif 000006